(57)【要約】      （修正有）【課題】外部接続機器から延びるコネクタが常時プラグに接続可能な照明装置を提供する。【解決手段】照明装置１は、被取付部１０に取り付けられ、外郭を構成する器具本体１１０を有する照明器具１００と、器具本体１１０に対向するように取り付けられ、照射対象空間に光を照射する光源ユニット２００と、外部接続機器から延びるコネクタが挿入されるプラグ６００を有し照明器具の機能を拡張する拡張ユニットと、を備える。照明器具１００には、プラグ６００を外部に露出させるプラグ穴１５１ｂが形成されている。【選択図】図１３
2020140925.tif 000002
【特許請求の範囲】
【請求項１】
被取付部に取り付けられ、外郭を構成する器具本体を有する照明器具と、
前記器具本体に対向するように取り付けられ、照射対象空間に光を照射する光源ユニットと、
外部接続機器から延びるコネクタが挿入されるプラグを有し、前記照明器具の機能を拡張する拡張ユニットと、を備え、
前記照明器具には、
前記プラグを外部に露出させるプラグ穴が形成されている
照明装置。
【請求項２】
前記拡張ユニットは、
前記器具本体と前記光源ユニットとに挟まれた空間に収納されている
請求項１記載の照明装置。
【請求項３】
前記拡張ユニットは、
前記照明器具の内部に収納されており、
前記プラグ穴は、
前記器具本体に形成されている
請求項１記載の照明装置。
【請求項４】
前記照明器具の前記被取付部側の端部と前記プラグとの間の距離が１０ｍｍ以上である
請求項１〜３のいずれか１項に記載の照明装置。
【請求項５】
前記プラグは、前記コネクタが接触して導通する接触子を有し、
前記接触子の先端は、前記被取付部側とは反対の方向を向いている
請求項１〜４のいずれか１項に記載の照明装置。
【請求項６】
前記プラグは、前記コネクタが接触して導通する接触子を有し、
前記接触子の先端は、前記被取付部側の方向を向いている
請求項１〜４のいずれか１項に記載の照明装置。
【請求項７】
前記プラグは、前記プラグ穴まで延びている
請求項１〜６のいずれか１項に記載の照明装置。
【請求項８】
前記拡張ユニットは、
前記照明器具と前記光源ユニットとの間に収納され、前記プラグを外部に露出させるケース開口が形成されたケースと、
前記ケースの内部に収容され、前記プラグが実装された拡張基板と、を有する
請求項１〜７のいずれか１項に記載の照明装置。
【請求項９】
前記ケースは、
前記ケース開口の縁部から前記プラグ側に延び、前記コネクタが前記プラグに挿入される際に前記コネクタをガイドする延長部を有する
請求項８記載の照明装置。
【請求項１０】
前記ケースは、
前記ケース開口の縁部から前記プラグとは反対方向に突出し、前記プラグ穴の縁部に係合する突出部を有する
請求項８又は９記載の照明装置。
【請求項１１】
前記プラグは、
前記拡張ユニットの幅方向に対し平行又は垂直の方向に延びている
請求項１〜１０のいずれか１項に記載の照明装置。
【請求項１２】
前記プラグは、
水平方向から傾斜して設けられている
請求項１〜１１のいずれか１項に記載の照明装置。
【発明の詳細な説明】
【技術分野】
【０００１】
本発明は、照明器具の機能を拡張する拡張ユニットを備える照明装置に関する。
【背景技術】
【０００２】
従来、照明器具の機能を拡張する拡張ユニットとして、例えばＵＳＢ（Ｕｎｉｖｅｒｓａｌ  Ｓｅｒｉｏｕｌ  Ｂｕｓ）端子が設けられたユニットを備える照明装置が知られている。特許文献１には、照明器具の光源ユニットにおいて、光源を点灯させる点灯装置と、点灯装置に電源を供給する電源供給ユニットとが設けられた電源装置が開示されている。電源供給ユニットは、ＵＳＢ端子である第１接続部が設けられており、第１接続部に外部装置が接続されることによって、電源供給回路の出力電圧が外部装置に供給される。
【先行技術文献】
【特許文献】
【０００３】
【特許文献１】特開２０１７−１３５０２４号公報
【発明の概要】
【発明が解決しようとする課題】
【０００４】
しかしながら、特許文献１に開示された電源装置は、電源供給ユニットが光源ユニットの内部に収納され、第１接続部が光源ユニットの外部に露出していない。このため、照明装置において、第１接続部といったプラグが外部に露出して、外部接続機器から延びるコネクタが常時プラグに接続可能であることが求められている。
【０００５】
本発明は、上記のような課題を解決するためになされたもので、外部接続機器から延びるコネクタが常時プラグに接続可能な照明装置を提供するものである。
【課題を解決するための手段】
【０００６】
本発明に係る照明装置は、被取付部に取り付けられ、外郭を構成する器具本体を有する照明器具と、器具本体に対向するように取り付けられ、照射対象空間に光を照射する光源ユニットと、外部接続機器から延びるコネクタが挿入されるプラグを有し、照明器具の機能を拡張する拡張ユニットと、を備え、照明器具には、プラグを外部に露出させるプラグ穴が形成されている。
【発明の効果】
【０００７】
本発明によれば、照明器具に形成されたプラグ穴がプラグを外部に露出させる。このため、照明装置は、外部接続機器から延びるコネクタを、常時プラグに接続可能である。
【図面の簡単な説明】
【０００８】
【図１】本発明の実施の形態１に係る照明装置の組立斜視図である。
【図２】本発明の実施の形態１に係る照明装置の分解斜視図である。
【図３】本発明の実施の形態１に係る照明器具の組立斜視図である。
【図４】本発明の実施の形態１に係る照明器具の分解斜視図である。
【図５】本発明の実施の形態１に係る端板部の斜視図である。
【図６】本発明の実施の形態１に係る端板部と照明器具の器具本体とが分離した状態の照明器具の組み立てに関する参考図である。
【図７】本発明の実施の形態１に係る端板部と照明器具の器具本体とが接触した状態の照明器具の組み立てに関する参考図である。
【図８】本発明の実施の形態１に係る端板部と照明器具の器具本体とが係合した状態の照明器具の組み立てに関する参考図である。
【図９】本発明の実施の形態１に係る光源ユニットの分解斜視図である。
【図１０】本発明の実施の形態１に係るエンドキャップの外側から見た斜視図である。
【図１１】本発明の実施の形態１に係るエンドキャップの内側から見た斜視図である。
【図１２】本発明の実施の形態１に係るバネの斜視図である。
【図１３】本発明の実施の形態１に係る照明装置の組立斜視図である。
【図１４】本発明の実施の形態１に係る照明装置の分解斜視図である。
【図１５】本発明の実施の形態１に係る拡張ユニットの組立斜視図である。
【図１６】本発明の実施の形態１に係る拡張ユニットの分解斜視図である。
【図１７】本発明の実施の形態１に係る拡張ユニットの背面斜視図である。
【図１８】本発明の実施の形態１に係る拡張ユニットの正面斜視図である。
【図１９】本発明の実施の形態１に係る拡張ユニットの下側斜視図である。
【図２０】本発明の実施の形態１に係る拡張ユニットの上面図である。
【図２１】本発明の実施の形態１に係る拡張ユニットの正面図である。
【図２２】本発明の実施の形態１に係る拡張ユニットの側面断面図である。
【図２３】本発明の実施の形態１に係る拡張ユニットの側面断面図である。
【図２４】本発明の実施の形態１の第１変形例に係る拡張ユニットの正面図である。
【図２５】本発明の実施の形態１の第１変形例に係る拡張ユニットの側面断面図である。
【図２６】本発明の実施の形態１の第２変形例に係る拡張ユニットの正面図である。
【図２７】本発明の実施の形態１の第３変形例に係る拡張ユニットの側面断面図である。
【図２８】本発明の実施の形態１の第４変形例に係る拡張ユニットの側面断面図である。
【図２９】本発明の実施の形態２に係る拡張ユニットの正面図である。
【図３０】本発明の実施の形態２に係る拡張ユニットの側面断面図である。
【図３１】本発明の実施の形態２に係る拡張ユニットの側面断面図である。
【発明を実施するための形態】
【０００９】
以下、本発明に係る照明装置の実施の形態について、図面を参照しながら説明する。なお、以下に説明する実施の形態によって本発明が限定されるものではない。また、図１を含め、以下の図面では各構成部材の大きさの関係が実際のものとは異なる場合がある。また、以下の説明において、理解を容易にするために方向を表す用語を適宜用いるが、これは説明のためのものであって、これらの用語は本発明を限定するものではない。方向を表す用語としては、例えば、「上」、「下」、「右」、「左」、「前」又は「後」等が挙げられる。
【００１０】
実施の形態１．
図１は、本発明の実施の形態１に係る照明装置１の組立斜視図である。図２は、本発明の実施の形態１に係る照明装置１の分解斜視図である。図１及び図２を参照して、実施の形態に係る照明装置１の構成を説明する。以下の説明において、照明装置１の長手方向に沿った方向を長手方向（Ｘ軸方向）とする。また、長手方向（Ｘ軸方向）に直交し、長手方向（Ｘ軸方向）に対する短手方向を短手方向（Ｙ軸方向）とする。そして、長手方向（Ｘ軸方向）及び短手方向（Ｙ軸方向）のいずれとも直交する方向を上下方向（Ｚ軸方向）とする。更に、上下方向（Ｚ軸方向）において、照明装置１が取り付けられる天井あるいは壁等の被取付部１０側への向きを上向きＺ１とする。そして、上向きＺ１と反対側への向きであり照明装置１から光が照射される照射空間側への向きを下向きＺ２とする。ここで、上向きＺ１は、光源ユニット２００が照明器具１００に取り付けられる向きであり、下向きＺ２は、光源ユニット２００が照明器具１００から取り外される向きである。
【００１１】
本実施の形態における照明装置１は、天井あるいは壁等の被取付部１０に取り付けられる照明器具１００と、この照明器具１００に取り付けられる光源ユニット２００と、を有する。実施の形態では、照明装置１は、いわゆるトラフタイプの照明器具１００を例として示す。なお、実施の形態、及び変形例における照明装置１は、いわゆるトラフタイプの照明器具１００を例示して説明するが、照明装置１はトラフタイプの照明器具１００に限定されるものではない。照明装置１は、光源ユニット２００が装着される照明器具１００として、例えば、いわゆる笠付タイプ、片側反射笠付タイプ又はＶ形タイプ等、他の形状のものを採用することができる。照明装置１は、照明器具１００が器具本体１１０を有しており、光源ユニット２００の一部がこの器具本体１１０に収容されるように取り付けられている。
【００１２】
（照明器具１００）
図３は、本発明の実施の形態１に係る照明器具１００の組立斜視図である。図４は、本発明の実施の形態１に係る照明器具１００の分解斜視図である。図１〜図４を参照して照明器具１００の構成を説明する。照明器具１００は、天井等の被取付部１０に取り付けられ、光源を有する光源ユニット２００が取り付けられることによって照明装置１を構成する。照明器具１００は、器具本体１１０と、電源装置１２０と、電源端子台１３０と、端板部１５０と、を有している。照明器具１００は、器具本体１１０の長手方向（Ｘ軸方向）端部に端板部１５０が取り付けられていると共に、電源装置１２０及び電源端子台１３０が器具本体１１０の内側に配設されている。また、照明器具１００は、器具側バネ（図示せず）を有してもよい。更に、照明器具１００は、調光端子台（図示せず）を器具本体１１０の内部に収容してもよい。
【００１３】
（器具本体１１０）
照明器具１００を構成する器具本体１１０は、装着された光源ユニット２００の一部を内部に収容する。器具本体１１０は、照明器具１００の外郭を構成し、例えば、金属製の板材を折り曲げて形成される。ただし、器具本体１１０は、金属製の板材の折り曲げから形成されるものに限定されるものではなく、例えば、樹脂又はセラミック等、他の材料を用いて形成されてもよく、また、押出成形又は積層造形等、他の方法で形成されてもよい。器具本体１１０は、箱状に形成されており、光源ユニット２００の一部が収容される内部空間を形成し、また、長尺状に形成されており、両方の端部１１０ａに端部開口部１１０ｂが形成されている。器具本体１１０は、長方形の板状に形成された底部１１１と、底部１１１の短手方向（Ｙ軸方向）の両側辺からそれぞれ立ち上がり、突出して設けられている側面部１１２とを有する。器具本体１１０は、底部１１１と、互いに対向する２つの側面部１１２とによって凹形状に形成される。このため器具本体１１０は、底部１１１と、互いに対向する２つの側面部１１２とによって囲まれる内部空間を形成している。器具本体１１０は、互いに対向する２つの側面部１１２と、互いに対向する２つの端板部１５０とによって、本体開口部１１３を形成している。この本体開口部１１３は、光源ユニット２００の着脱を行う際の装着口となり、器具本体１１０の長手方向（Ｘ軸方向）において、両方の端部１１０ａの間に形成されている。
【００１４】
底部１１１には、電源装置１２０及び電源端子台１３０が取り付けられる。また、底部１１１には、調光端子台（図示せず）が取り付けられてもよい。また、底部１１１には、電源穴１１１ａと、取付穴１１１ｂとが形成されている。電源穴１１１ａは、商用電力の供給を受けるための電源線を引き込むために底部１１１に形成された貫通孔であり、この電源線は、照明器具１００の外部から電源穴１１１ａを介して電源端子台１３０に接続される。取付穴１１１ｂは、器具本体１１０をビスあるいはボルト等の固定具で天井あるいは壁等の被取付部１０に固定するために、底部１１１に形成された貫通孔である。電源穴１１１ａ及び取付穴１１１ｂは、照明器具１００の長手方向（Ｘ軸方向）において、電源装置１２０及び電源端子台１３０の設置位置よりも外側に形成されている。なお、電源穴１１１ａは、器具本体１１０に調光端子台（図示せず）が取り付けられる場合には、調光端子台（図示せず）の設置位置よりも外側に形成されている。そして、器具本体１１０に調光端子台（図示せず）が取り付けられる場合には、底部１１１には、調光端子台（図示せず）に接続される信号線を引き込むための信号線穴が形成されてもよい。
【００１５】
側面部１１２は、照明器具１００の上下方向（Ｚ軸方向）において、一方の端部は底部１１１と連続して形成されており、他方の端部は器具本体１１０の本体開口部１１３を形成する。２つの側面部１１２は、それぞれ側面部１１２の本体開口部１１３側の端部に、光源ユニット２００を保持する凸部１１４を有している。凸部１１４は、対に設けられた側面部１１２の端部において、互いに向かい合うように突出して設けられている。凸部１１４は、底部１１１と反対側の先端部１１４ｆ（図６参照）が、器具本体１１０の内部空間側に向かって円弧を形成するように折り曲げられ、かつ、凸部１１４の縁部１１４ｄ（図６参照）が、側面部１１２を向くように折り曲げられている。
【００１６】
（電源装置１２０）
電源装置１２０は、商用電源から供給される交流電力を直流電力に変換し、光源ユニット２００を点灯させるものである。電源装置１２０は、略直方体形状をした電源ケース１２０ａと、この電源ケース１２０ａの内部に配置された点灯回路（図示せず）とを有している。また、電源装置１２０の出力側には、光源ユニット２００の後述する光源側電線２１３（図９参照）とコネクタ等によって着脱自在に接続する電源側電線（図示せず）が設けられている。
【００１７】
（電源端子台１３０）
電源端子台１３０は、商用電源から供給される電力を、照明器具１００を構成する各部品へ供給するものであり、電源端子台１３０には外部から引き込まれた電線が接続される。電源端子台１３０は、器具本体１１０の長手方向（Ｘ軸方向）において、電源装置１２０を挟むように２つ配置されており、また、電源装置１２０と電源穴１１１ａとの間にそれぞれ配置されている。また、電源端子台１３０は、電源穴１１１ａと隣接するように配置されている。
【００１８】
２つの電源端子台１３０は、互いに接続される端子台電線１３１を有していると共に、一方の電源端子台１３０は電源装置１２０の入力部と電線（図示せず）を介して接続される。照明器具１００は、このように２つの電源端子台１３０を設けることによって、どちらの電源穴１１１ａから電線が引き込まれても商用電源からの電力供給を受けることができる。なお、端子台電線１３１は、照明器具１００の器具内配線用の電線であり、外部から引き込まれた電線よりも細く形成されている。このように、照明器具１００は、電源端子台１３０が内部に配設されることで、器具本体１１０の内側に外部から引き込まれる電線を配置するスペースを設ける必要がなく、器具本体１１０の内部空間を有効活用することができる。また、照明器具１００は、電源端子台１３０が内部に配設されることで、器具本体１１０の内側に外部から引き込まれる電線を配置するスペースを設ける必要がなく、器具本体１１０の大型化を抑制することができる。
【００１９】
上述したように、照明器具１００は、器具本体１１０の内部に調光端子台（図示せず）を有してもよい。調光端子台は、外部から引き込まれる信号電線が挿し込まれるものであり、信号電線を介して送付される制御信号を電源装置１２０に伝えるものである。この信号電線は、電源穴１１１ａから引き込んでもよく、底部１１１に信号線用の穴（図示せず）を形成し、この信号線用の穴から引き込んでもよい。
【００２０】
（端板部１５０）
図５は、本発明の実施の形態１に係る端板部１５０の斜視図である。図６は、本発明の実施の形態１に係る端板部１５０と照明器具１００の器具本体１１０とが分離した状態の照明器具１００の組み立てに関する参考図である。図７は、本発明の実施の形態１に係る端板部１５０と照明器具１００の器具本体１１０とが接触した状態の照明器具１００の組み立てに関する参考図である。図８は、本発明の実施の形態１に係る端板部１５０と照明器具１００の器具本体１１０とが係合した状態の照明器具１００の組み立てに関する参考図である。図１〜図８を用いて、端板部１５０について説明する。端板部１５０は、器具本体１１０の長手方向（Ｘ軸方向）の端部１１０ａを塞ぐように配置される。端板部１５０は、器具本体１１０の底部１１１及び側面部１１２とそれぞれ係合して固定されており、器具本体１１０の変形を抑制するものである。
【００２１】
端板部１５０は、器具本体１１０の長手方向（Ｘ軸方向）の端部１１０ａに形成された端部開口部１１０ｂに配置されており、器具本体１１０の長手方向（Ｘ軸方向）の端部１１０ａの端部開口部１１０ｂを塞ぐ端板本体部１５１を有している。端板本体部１５１は、矩形の板状に形成されており、端板本体部１５１の板面は、底部１１１及び側面部１１２の板面に対して略直角に配置されている。端板本体部１５１は、ノックアウト加工が施されており、取り外されることで端板本体部１５１にプラグ穴１５１ｂを形成する端板蓋部１５１ａを有し、端板本体部１５１には端板蓋部１５１ａの縁部を形作る溝部１５１ｃが形成されている。
【００２２】
図５〜図８に示すように、端板本体部１５１には、矩形と円形とを組み合わせた略馬蹄形状をした端板蓋部１５１ａが取り外しできるように設けられている。端板蓋部１５１ａは、端板本体部１５１を構成する壁部にノックアウト加工が施された部分であり、例えば、たたくことにより、あるいは、切り取ることにより、現場で簡単に穴をあけることができる部分である。端板本体部１５１は、端板蓋部１５１ａが取り外されることで、Ｕ字状の縁部によって形成されるプラグ穴１５１ｂが形成される。プラグ穴１５１ｂは、光源ユニット２００が照明器具１００に取り付けられた場合に光源ユニット２００と対向する側が開口するように形成されている。このプラグ穴１５１ｂは、後述するプラグ６００（図１３参照）を外部に露出させる。端板本体部１５１から取り外される端板蓋部１５１ａは、取り外される前には端板本体部１５１の壁の一部を構成している。端板本体部１５１において、端板本体部１５１から取り外された際に端板蓋部１５１ａの縁部を形成する部分に形成された溝部１５１ｃは、端板本体部１５１の壁が凹状に形成された部分であり、端板本体部１５１の壁の厚さが薄い部分となる。なお、溝部１５１ｃは、凹状に形成されるものに限定されるものではなく、例えば、ミシン目のように複数の貫通孔が連続して形成されてもよい。また、端板蓋部１５１ａはノックアウト加工により端板本体部１５１から取り外し可能に設けられているが、端板蓋部１５１ａは、ノックアウト加工以外にも爪による係合、あるいは、接着等で端板本体部１５１から取り外しができるように設けられてもよい。なお、プラグ穴１５１ｂは、複数の照明器具１００を連結したときに、例えば、照明器具１００に使用する電線等の配線に利用することができる。
【００２３】
図５に示すように、端板部１５０は、端板本体部１５１から器具本体１１０の端部１１０ａに挿し込まれる端板爪部１５２と、端板接続部１５３とを有している。端板爪部１５２は、板状に形成されており、端板本体部１５１の短手方向（Ｙ軸方向）の両端部の側辺からそれぞれ立ち上がるように突出して設けられている。端板爪部１５２は、端板部１５０が器具本体１１０に取り付けられた状態において、側面部１１２と対向するように配置される。端板爪部１５２は、端板部１５０が器具本体１１０に取り付けられた状態において、凸部１１４と係合する第一突出壁部１１５２ａと、第二突出壁部１１５２ｂとを有する。また、端板爪部１５２は、先端が内側に曲がった爪挿込部１５２ａと、凸部１１４の一部が嵌まり込む爪凹部１５２ｂと、一部が器具本体１１０の短手方向（Ｙ軸方向）に突出した突出部１５２ｃａを有する爪嵌合部１５２ｃとを有している。
【００２４】
第一突出壁部１１５２ａ及び第二突出壁部１１５２ｂは、矩形状の壁部であり、第一突出壁部１１５２ａと第二突出壁部１１５２ｂとの間には、爪凹部１５２ｂが形成されている。第一突出壁部１１５２ａ及び第二突出壁部１１５２ｂの２つの突出壁部は、端板部１５０が器具本体１１０に取り付けられた状態において、後述する第一切欠部１１４ｂと第二切欠部１１４ｃの２つの切欠部のそれぞれに挿入される。第一突出壁部１１５２ａ及び第二突出壁部１１５２ｂの２つの突出壁部は、第一切欠部１１４ｂと第二切欠部１１４ｃの２つの切欠部のそれぞれに挿入されると、照明装置１の長手方向（Ｘ軸方向）において、後述する端板固定部１１４ａと対向する。第一突出壁部１１５２ａは、端板部１５０が器具本体１１０に取り付けられた状態において、器具本体１１０の中央側に位置する。また、第二突出壁部１１５２ｂは、端板部１５０が器具本体１１０に取り付けられた状態において、器具本体１１０の端部１１０ａ側に位置する。
【００２５】
第一突出壁部１１５２ａは、器具本体１１０の中央側を構成する端縁部１５２ｔ２に、先端が内側に曲折しており、弾性変形する爪挿込部１５２ａを有している。爪挿込部１５２ａは、略三角の板状に形成されており、器具本体１１０の長手方向（Ｘ軸方向）において、端板爪部１５２の突出方向の端部に形成されている。即ち、爪挿込部１５２ａは、端板爪部１５２において、端板本体部１５１との境界を構成する端縁部１５２ｔ１の反対側に位置する端縁部１５２ｔ２に形成されている。爪挿込部１５２ａは、略三角形の先端が端板部１５０の内側を向くように曲折しており、弾性変形するように形成されている。また、爪挿込部１５２ａは、端縁部１５２ｔ２の上縁部１５２ｐ側、即ち、端板部１５０が器具本体１１０の端部１１０ａに挿し込まれた状態において、凸部１１４と対向する位置に形成されている。
【００２６】
爪凹部１５２ｂは、端板爪部１５２の上縁部１５２ｐ側に形成された切欠部である。爪凹部１５２ｂは、端板爪部１５２の上縁部１５２ｐから下方（Ｚ軸方向）に向かって矩形状に切り欠かれている。爪凹部１５２ｂは、端板爪部１５２において、第一突出壁部１１５２ａと第二突出壁部１１５２ｂとの間に形成されている。
【００２７】
突出部１５２ｃａは、端板爪部１５２の爪嵌合部１５２ｃから、対向する端板爪部１５２に向かって突出している。爪嵌合部１５２ｃは、端板部１５０が器具本体１１０に取り付けられた状態において、第二突出壁部１１５２ｂの凸部１１４と対向する部分であり、凸部１１４の端部と側面部１１２との間に嵌り込む。突出部１５２ｃａは、球面を構成している。突出部１５２ｃａは、爪嵌合部１５２ｃの板面に対する平面視において円形状に形成されており、爪嵌合部１５２ｃの板面に対する垂直断面において円弧状に形成されている。突出部１５２ｃａが形成されている爪嵌合部１５２ｃは、端板爪部１５２において、爪凹部１５２ｂと端板本体部１５１との間に形成されている壁部である。
【００２８】
図５及び図６を用いて、器具本体１１０と端板部１５０の係合について更に詳細に説明する。器具本体１１０は、端部１１０ａの内部空間側に端板部１５０と係合する第一係合部１１１４を有する。第一係合部１１１４は、凸部１１４のそれぞれにおいて、凸部１１４の縁部１１４ｄに形成された第一切欠部１１４ｂと第二切欠部１１４ｃとの２つの切欠部と、これらの２つの切欠部の間の壁部を構成する端板固定部１１４ａとによって形成されている。端板部１５０は、器具本体１１０に取り付けられると器具本体１１０の内部空間側に配置され、第一係合部１１１４と係合する第二係合部１１５２を有する。端板部１５０は、器具本体１１０の端部開口部１１０ｂに、器具本体１１０の長手方向（Ｘ軸方向）から差し込まれることで、第二係合部１１５２が第一係合部１１１４と係合し、器具本体１１０に取り付けられる。
【００２９】
器具本体１１０の凸部１１４は、図６に示すように、器具本体１１０の長手方向（Ｘ軸方向）の端部１１０ａにおいて、端板爪部１５２と係合するための突出片である端板固定部１１４ａを有している。端板固定部１１４ａは、器具本体１１０の端部１１０ａにおいて、凸部１１４の一部の縁部１１４ｄを切り欠いた第一切欠部１１４ｂと、第二切欠部１１４ｃとを形成することで、第一切欠部１１４ｂと、第二切欠部１１４ｃとの間に形成されている。器具本体１１０の長手方向（Ｘ軸方向）において、端板固定部１１４ａの幅は、爪凹部１５２ｂの幅と略同じか僅かに小さい。なお、第一切欠部１１４ｂ及び第二切欠部１１４ｃは、器具本体１１０の長手方向（Ｘ軸方向）に沿って、凸部１１４の下端の縁部１１４ｄに形成されている。より詳細には、第一切欠部１１４ｂ及び第二切欠部１１４ｃは、凸部１１４を構成する壁部と側面部１１２との間の距離が最も離れた部分よりも、底部１１１側に形成されている。また、第二切欠部１１４ｃは、第一切欠部１１４ｂに対して、器具本体１１０の端部１１０ａ側に形成されている。端板固定部１１４ａは、器具本体１１０の端部１１０ａにおいて、第一切欠部１１４ｂ及び第二切欠部１１４ｃを構成する凸部１１４の底部１１１側の縁部から底部１１１側に突出するように形成されている。
【００３０】
端板部１５０は、図７に示すように、爪挿込部１５２ａ側から器具本体１１０の長手方向（Ｘ軸方向）の端部１１０ａに挿し込まれる。このとき、図８に示すように、爪挿込部１５２ａの先端が摺動し、爪挿込部１５２ａは端板固定部１１４ａを内側に乗り越えていくように弾性変形しながら挿し込まれて行き、第一切欠部１１４ｂにはめ込まれる。更に、このとき爪嵌合部１５２ｃは突出部１５２ｃａが第二切欠部１１４ｃの内側に嵌まり込むと共に、端板固定部１１４ａが爪凹部１５２ｂに嵌まり込み、端板部１５０は器具本体１１０に取り付けられる。
【００３１】
端板部１５０は、爪挿込部１５２ａが内側に弾性変形しながら挿し込まれることで、器具本体１１０の側面部１１２には端板部１５０との係合のための穴あるいは凹みなどの加工又は加工痕を設けないようにできる。そのため、照明器具１００は、意匠性を向上させることができる。また、端板部１５０は、端板接続部１５３が器具本体１１０の内側に配設されると共に、底部１１１に固定材（ネジ）などにより接続され、端板部１５０と器具本体１１０との係合をより強固にすることができる。
【００３２】
（光源ユニット２００）
図９は、本発明の実施の形態１に係る光源ユニット２００の分解斜視図である。図２及び図９を用いて光源ユニット２００について説明する。光源ユニット２００は、照明器具１００の器具本体１１０に対向するように取り付けられ、照射対象空間に光を照射するものであり、照明器具１００に取り付けられることによって照明装置１を構成する。光源ユニット２００は、長尺状に形成されており、照明器具１００に装着されて使用される。光源ユニット２００は、照明器具１００の器具本体１１０に一部が収容され、器具本体１１０に着脱自在に取り付けられる。光源ユニット２００は、発光モジュール２１０と、フレーム２２０と、カバー２３０と、エンドキャップ２４０と、バネ２５０とを有している。
【００３３】
（発光モジュール２１０）
発光モジュール２１０は、光源となり長尺状に形成されている。発光モジュール２１０は、フレーム２２０よりも長尺状に形成されている。発光モジュール２１０は、複数の発光素子２１１と、この複数の発光素子２１１が直線状に実装される矩形状をした基板２１２と、基板２１２の長手方向（Ｘ軸方向）の一端側に設けられた光源側電線２１３とを有している。発光モジュール２１０の基板２１２は、長手方向（Ｘ軸方向）の長さがフレーム２２０よりも長く、カバー２３０と略同等の長さに形成されている。従って、発光モジュール２１０がフレーム２２０上に取り付けられると、基板２１２は、両方の端部２１２ｔがフレーム２２０から突出した状態となる。
【００３４】
発光素子２１１は、光源ユニット２００の光源であり、電力が供給されると発光する。発光モジュール２１０は、発光素子２１１として、例えば、発光ダイオード（Ｌｉｇｈｔ  Ｅｍｉｔｔｉｎｇ  Ｄｉｏｄｅ；以下、ＬＥＤと称す）素子を用いる。発光素子２１１は、基板２１２に直線状に実装される構成に限定されるものではなく、例えば、基板２１２の実装面に、基板２１２の長手方向（Ｘ軸方向）に沿って、列状、千鳥状等に実装されてもよい。発光素子２１１は、例えば、波長が４４０〜４８０〔ｎｍ〕の青色光を出射するＬＥＤチップ上に、青色光を黄色光に波長変換する蛍光体を配してパッケージ化された面実装部品である疑似白色ＬＥＤ素子である。なお、発光素子２１１は、発光ダイオード素子に限定されるものではない。発光素子２１１は、例えば、固体レーザ（Ｓｏｌｉｄ  Ｓｔａｔｅ  Ｌａｓｅｒ）、半導体レーザ（Ｓｅｍｉｃｏｎｄｕｃｔｏｒ  Ｌａｓｅｒ）、有機ＥＬ（Ｅｌｅｃｔｒｏ  Ｌｕｍｉｎｅｓｃｅｎｃｅ）又は無機ＥＬ等を用いてもよい。基板２１２には、例えば、ガラス−エポキシ基板（ＦＲ−４）、ガラス−コンポジット基板（ＣＥＭ−３）、紙エポキシ基板（ＦＲ−３）、紙フェノール基板（ＸＰＣ）又は金属ベース基板等が用いられる。
【００３５】
（フレーム２２０）
フレーム２２０は、発光素子２１１を有する発光モジュール２１０が取り付けられる。フレーム２２０は、長尺状に形成されており、断面が略Ｈ字状に形成されている。フレーム２２０は、例えば、アルミ材を押出成型して形成してもよく、板金を折り曲げて一体的に形成しても良い。フレーム２２０は、発光モジュール２１０が取り付けられる基板取付面２２１ａを形成する第一板部２２１を有する。また、フレーム２２０は、第一板部２２１の基板取付面２２１ａと反対側の面から突出する柱部２２２と、柱部２２２を挟むように第一板部２２１と対向するよう設けられた第二板部２２３とを有している。
【００３６】
第一板部２２１は、発光モジュール２１０が取り付けられる基板取付面２２１ａと、カバー２３０を保持するカバー保持部２２１ｂと、を有している。基板取付面２２１ａは、カバー２３０がフレーム２２０に取り付けられた状態において、カバー２３０と対向する面である。カバー保持部２２１ｂは、フレーム２２０の短手方向（Ｙ軸方向）の端部において、フレーム２２０の長手方向（Ｘ軸方向）に沿って形成されている。カバー保持部２２１ｂは、鉤状に形成されており、断面Ｌ字形状に形成されている。カバー保持部２２１ｂが形成する溝部は、フレーム２２０の内側となる発光素子２１１側に開口している。発光モジュール２１０及びカバー２３０は、フレーム２２０の長手方向（Ｘ軸方向）の端部から挿し込まれてフレーム２２０に取り付けられる。また、フレーム２２０は、短手方向（Ｙ軸方向）において、カバー保持部２２１ｂの内側に第二カバー保持部２２１ｃが設けられている。この第二カバー保持部２２１ｃは、カバー２３０の内側にレンズ等の配光制御部材等が取り付けられる部分である。第二カバー保持部２２１ｃは、カバー保持部２２１ｂの内側において、フレーム２２０の長手方向（Ｘ軸方向）に沿って形成されている。第二カバー保持部２２１ｃは、鉤状に形成されており、断面Ｌ字形状に形成されている。第二カバー保持部２２１ｃが形成する溝部は、フレーム２２０の内側となる発光素子２１１側に開口している。
【００３７】
柱部２２２は、第一板部２２１の短手方向（Ｙ軸方向）の中央部から、第二板部２２３の短手方向（Ｙ軸方向）の中央部に向かって突出し、第一板部２２１と第二板部２２３とを連結している。柱部２２２は、基板２１２の背面と第一板部２２１を介して対向しており、柱部２２２があることで基板２１２から発せられる熱の放熱性を向上させることができる。
【００３８】
第二板部２２３は、第一板部２２１と対向するように設けられている。第二板部２２３は、短手方向（Ｙ軸方向）における長さが第一板部２２１より短く形成されている。また、第二板部２２３にはスリット部（図示せず）が設けられている。このスリット部は、第二板部２２３の長手方向（Ｘ軸方向）に沿って形成され、端部２２１ｔにはネジ等の固定具が取り付けられるフレーム固定孔２２３ｂが設けられている。
【００３９】
フレーム２２０は、強度の特徴として下記（１）〜（３）の特徴を有する。（１）フレーム２２０の第一板部２２１及び第二板部２２３はＨ鋼のフランジの役割を果たし、柱部２２２はＨ鋼のウェブの役割を果たす。（２）第一板部２２１及び第二板部２２３は、長手方向（Ｘ軸方向）に曲げようとする力がかかったときに、それぞれで負荷を分担することができる。例えば、一方が引張の力に対抗し、他方が圧縮の力に対抗する。なお、曲げようとする力とは、荷重による撓み、あるいは、バネ等による引っ張る負荷も含まれる。（３）柱部２２２は、短手方向（Ｙ軸方向）へねじろうとする力に対抗するものであり、上下方向（Ｚ軸方向）への長さを長くするよりも、短手方向（Ｙ軸方向）の幅寸法を長くすることによって、ねじれ難くできる。例えば、柱部２２２の短手方向（Ｙ軸方向）の幅寸法を、第一板部２２１の板厚、あるいは、第二板部２２３の板厚より厚くするとよい。このように、柱部２２２を上下方向（Ｚ軸方向）に長く形成しなくても、フレーム２２０の剛性を得ることができる。よって、フレーム２２０を薄型にすることができる。
【００４０】
照明装置１は、フレーム２２０及び器具本体１１０が、フレーム２２０と器具本体１１０の本体開口部１１３との短手方向（Ｙ軸方向）における長さに関して、次のような関係となる。ここで、本体開口部１１３の外寸を距離ＬＳ１と定義する。距離ＬＳ１は、対になる側面部１１２の外側から外側の寸法である。本体開口部１１３の内寸を距離ＬＳ２と定義する。距離ＬＳ２は、対向する凸部１１４同士の最短寸法である。フレーム２２０の短手方向（Ｙ軸方向）において、第一板部２２１の短手方向（Ｙ軸方向）の寸法を長さＬＳ３と定義する。フレーム２２０の短手方向（Ｙ軸方向）において、第二板部２２３の短手方向（Ｙ軸方向）の寸法を長さＬＳ４と定義する。ここで、第一板部２２１の長さＬＳ３は、第二板部２２３の長さＬＳ４よりも大きい。また、第一板部２２１の長さＬＳ３は、本体開口部１１３の外寸である距離ＬＳ１よりも大きい。更に、第二板部２２３の長さＬＳ４は、本体開口部１１３の内寸である距離ＬＳ２よりも小さい。
【００４１】
（カバー２３０）
カバー２３０は、発光モジュール２１０を覆うと共に、フレーム２２０に取り付けられた状態において長手方向（Ｘ軸方向）における端部２３０ｔに開口部２３０ｃが形成される。カバー２３０は、発光素子２１１からの光を拡散して透過させるものであり、透過性の材料から形成されている。カバー２３０は、例えば、ポリカーボネートなどの樹脂材料を押し出し成型して形成している。また、カバー２３０は、アクリル、あるいは、ガラス等の他の材料により形成されてもよい。カバー２３０の長手方向（Ｘ軸方向）の長さは、後述するフレーム２２０の両端に配置された対向する２つのカバーキャップ部２４１の間の距離よりも短く形成されている。
【００４２】
カバー２３０は、発光モジュール２１０を覆うように対向する主カバー部２３１と、主カバー部２３１の短手方向（Ｙ軸方向）の両端側よりフレーム２２０側へ突出するように設けられ、カバー２３０の側壁を構成するカバー側面部２３２と、を有する。また、カバー２３０は、カバー側面部２３２の端部に設けられ、フレーム２２０のカバー保持部２２１ｂと係合するカバー爪部２３３を有している。なお、対になるカバー側面部２３２の外側の距離は、器具本体１１０の対になる側面部１１２の外寸と略同一であり、光源ユニット２００が照明器具１００に取り付けられた状態でカバー側面部２３２と側面部１１２とは連続的な意匠を形成することができる。主カバー部２３１は、カバー２３０の長手方向（Ｘ軸方向）の垂直断面において、直線状に形成されている。なお、主カバー部２３１の形状は当該形状に限定されるものではなく、例えば、カバー２３０の長手方向（Ｘ軸方向）の垂直断面において、円弧状に形成されてもよく、他の多角形状に形成されてもよい。
【００４３】
（エンドキャップ２４０）
図１０は、本発明の実施の形態１に係るエンドキャップ２４０の外側から見た斜視図である。図１１は、本発明の実施の形態１に係るエンドキャップ２４０の内側から見た斜視図である。図９〜図１１を用いてエンドキャップ２４０について説明する。エンドキャップ２４０は、フレーム２２０に固定されてカバー２３０により形成される開口部２３０ｃを塞ぐように配置される。エンドキャップ２４０は、カバーキャップ部２４１と、第一突設部２４２と、第二突設部２４３と、フレームキャップ部２４４と、第一支持部２４５と、第二支持部２４６と、を有する。
【００４４】
カバーキャップ部２４１は、光源ユニット２００において、フレーム２２０及びカバー２３０の長手方向（Ｘ軸方向）の端部２００ａを覆う。即ち、カバーキャップ部２４１は、カバー２３０により形成される開口部２３０ｃを覆う。カバーキャップ部２４１は、略矩形状の板材である。カバーキャップ部２４１は、光源ユニット２００において、カバー２３０の主カバー部２３１及びカバー側面部２３２に対して、略直角に配置される。フレーム２２０の両端に配置された対向する２つのカバーキャップ部２４１の間の距離は、カバー２３０の長手方向（Ｘ軸方向）の長さよりも長い。
【００４５】
第一突設部２４２は、光源ユニット２００において、カバー２３０の内側面部２３０ａに当接するように、カバーキャップ部２４１から突出して設けられる。より詳細には、第一突設部２４２は、光源ユニット２００において、カバー２３０の主カバー部２３１及びカバー側面部２３２の内側面部２３０ａと、第二カバー保持部２２１ｃの一部と当接するように設けられている。第一突設部２４２は、光源ユニット２００において、主カバー部２３１の内側面部２３０ａと当接する天板部２４２ａと、カバー側面部２３２の内側面部２３０ａと当接する側板部２４２ｂとを有する。第一突設部２４２は、天板部２４２ａと、対向する２つの側板部２４２ｂによって、カバーキャップ部２４１から突出する壁部を構成する。第一突設部２４２は、光源ユニット２００において、カバー２３０の端部２３０ｔとカバーキャップ部２４１との間を塞ぐものである。第一突設部２４２は、カバー２３０が摺動自在に当接している。即ち、エンドキャップ２４０が、カバー２３０により形成された開口部２３０ｃを塞ぐ状態において、カバー２３０の内側面部２３０ａは、第一突設部２４２と摺動自在に当接する。
【００４６】
第一突設部２４２は、カバーキャップ部２４１よりも透過性が高く形成されている。例えば、第一突設部２４２は、カバーキャップ部２４１と異なる透過性を有する材料で形成されている。即ち、第一突設部２４２は、カバーキャップ部２４１よりも透過性が高い材料で形成されていることが好ましい。また、第一突設部２４２は、主カバー部２３１及びカバー側面部２３２よりも透過性が高い材料で形成されていることが好ましい。エンドキャップ２４０は、カバーキャップ部２４１と、カバーキャップ部２４１と透過性が異なる第一突設部２４２とを、二色成型により一体に成型してもよい。このようにエンドキャップ２４０は、第一突設部２４２の透過性が高いことで、第一突設部２４２とカバー２３０とが重なっても、第一突設部２４２による光ムラ等の影響を抑制することができる。その結果、照明装置１は、エンドキャップ２４０の第一突設部２４２と、カバー２３０の主カバー部２３１及びカバー側面部２３２との重なった部分が影になり、あるいは、暗がりになることを抑制することができる。なお、エンドキャップ２４０は、第一突設部２４２の透過性を高くすることで、カバー２３０の端部の第一突設部２４２とカバー２３０との重なる部分の光ムラを抑制するようにしている。しかし、第一突設部２４２の透過性を高くするだけでなく、例えば、凹凸を設ける等、他の手段によって照明装置１の光ムラを抑制してもよい。
【００４７】
第二突設部２４３は、カバーキャップ部２４１から突出して設けられている。第二突設部２４３は、基板剥がれ防止部２４３ａと、キャップ側カバー保持部２４３ｃと、電線ガイド部２４３ｄと、平板部２４３ｅとを有する。
【００４８】
基板剥がれ防止部２４３ａは、カバーキャップ部２４１から突出する第一突出部２４３ａ１と、カバーキャップ部２４１から第一突出部２４３ａ１よりも突出する第二突出部２４３ａ２とを有する。第一突出部２４３ａ１及び第二突出部２４３ａ２は、カバーキャップ部２４１から突出する凸状に形成された部分である。第一突出部２４３ａ１は、また、平板部２４３ｅと一体に形成されている。第二突出部２４３ａ２は、第一突出部２４３ａ１よりも天板部２４２ａ側に形成されている。基板剥がれ防止部２４３ａは、第二突出部２４３ａ２と平板部２４３ｅとの間に間隙を形成し、エンドキャップ２４０と発光モジュール２１０とが組み合わされた場合に、発光モジュール２１０の端部がこの間隙に挿し込まれる。より詳細には、基板剥がれ防止部２４３ａは、第二突出部２４３ａ２と平板部２４３ｅとの間に間隙を形成し、エンドキャップ２４０と発光モジュール２１０とが組み合わされた場合に、この間隙に基板２１２が配置される。従って、エンドキャップ２４０と発光モジュール２１０とが組み合わせられると、基板剥がれ防止部２４３ａは、光源ユニット２００において、フレーム２２０に取り付けられた基板２１２の端部２１２ｔを覆うように設けられている。そして、基板剥がれ防止部２４３ａは、基板２１２がフレーム２２０から外れることを抑制する。また、基板剥がれ防止部２４３ａは、上述のように、第一突出部２４３ａ１を有する。そのため、エンドキャップ２４０と発光モジュール２１０とが組み合わせられると、少なくとも第一突出部２４３ａ１がカバーキャップ部２４１から突出する長さ分、カバーキャップ部２４１と基板２１２の端面との間に間隙が形成される。
【００４９】
平板部２４３ｅは、平板状に形成されており、第一突設部２４２の天板部２４２ａと対向する壁である。平板部２４３ｅは、カバーキャップ部２４１から突出し、光源ユニット２００においてエンドキャップ２４０とフレーム２２０とが組み合わせられた場合に、突出方向の端面が、フレーム２２０の端部２２１ｔとなる第一板部２２１の端面と当接する。平板部２４３ｅは、後述するフレームキャップ部２４４の上壁を形成する。なお、フレームキャップ部２４４の上壁とは、キャップ側固定孔２４４ａを介して第二支持部２４６の形成側とは反対側に形成された壁である。第二突設部２４３の平板部２４３ｅには、電線切り欠き部２４３ｂが形成されている。電線切り欠き部２４３ｂは、平板部２４３ｅに形成された貫通孔であり、光源ユニット２００の短手方向（Ｙ軸方向）において、後述する第一支持部２４５と、フレームキャップ部２４４との間に形成されている。エンドキャップ２４０とフレーム２２０とが組み合わせられた場合に、電線切り欠き部２４３ｂが形成されていることで、平板部２４３ｅとフレーム２２０とによって開口が形成される。
【００５０】
電線切り欠き部２４３ｂは、第二突設部２４３の壁が切り欠かれている部分である。電線切り欠き部２４３ｂは、後述する第一支持部２４５とフレームキャップ部２４４との間に形成されている。電線切り欠き部２４３ｂは、光源ユニット２００において、図９に示す光源側電線２１３が挿通される部分である。より具体的には、上述したように、エンドキャップ２４０と発光モジュール２１０とが組み合わせられると、少なくとも第一突出部２４３ａ１がカバーキャップ部２４１から突出する長さ分、カバーキャップ部２４１と基板２１２の端面との間に間隙が形成される。光源側電線２１３は、このように形成された間隙と電線切り欠き部２４３ｂとに挿通されて光源ユニット２００の外部に配線される。
【００５１】
キャップ側カバー保持部２４３ｃは、カバーキャップ部２４１から突出して設けられている。キャップ側カバー保持部２４３ｃは、カバー保持部２２１ｂと略同形状に形成されており、光源ユニット２００において、キャップ側カバー保持部２４３ｃとカバー保持部２２１ｂとは面一状に連続した形状を構成する。キャップ側カバー保持部２４３ｃは、底板部２４３ｃ１と、短手方向（Ｙ軸方向）において底板部２４３ｃ１の端部から突出して鉤状に形成された鉤状部２４３ｃ２と、を有している。鉤状部２４３ｃ２は、光源ユニット２００の長手方向（Ｘ軸方向）の垂直断面において、断面Ｌ字状に形成されている。この鉤状部２４３ｃ２が形成する溝部は、光源ユニット２００において、フレーム２２０の内側となる発光素子２１１側に開口している。従って、光源ユニット２００において、底板部２４３ｃ１と第一板部２２１とが連続して配置されると共に、鉤状部２４３ｃ２とカバー保持部２２１ｂとが連続して配置される。キャップ側カバー保持部２４３ｃは、光源ユニット２００において、カバー保持部２２１ｂと共に、カバー２３０のカバー爪部２３３が係合される。
【００５２】
電線ガイド部２４３ｄは、基板剥がれ防止部２４３ａの上部に設けられていると共に、カバーキャップ部２４１から突出して設けられており、光源ユニット２００の短手方向（Ｙ軸方向）において、電線切り欠き部２４３ｂへ延出するように形成されている。なお、基板剥がれ防止部２４３ａの上部とは、基板剥がれ防止部２４３ａと第一突設部２４２の天板部２４２ａとの間である。電線ガイド部２４３ｄは、第一突設部２４２の天板部２４２ａ側が凸となるように緩やかな円弧状に形成されている。エンドキャップ２４０は、基板剥がれ防止部２４３ａと電線ガイド部２４３ｄとが一体に形成されているが、エンドキャップ２４０は、当該構成に限定されるものではなく、基板剥がれ防止部２４３ａと電線ガイド部２４３ｄとが別体で形成されてもよい。
【００５３】
エンドキャップ２４０は、フレーム２２０に取り付けられた状態において、平板部２４３ｅがフレーム２２０の第一板部２２１の端面と当接する。そして、電線切り欠き部２４３ｂが、カバーキャップ部２４１とフレーム２２０の端面との間で光源側電線２１３を外側に引き出す開口となる。このように、光源ユニット２００において、基板剥がれ防止部２４３ａが光源側電線２１３のための開口を形成することで、フレーム２２０の熱伸縮による電線への負荷を抑制することができる。エンドキャップ２４０をフレーム２２０に取り付けることで形成される開口に、光源側電線２１３を挿通させることで、光源側電線２１３を予め形成された開口に挿し込む工程を省略することができ、作業を容易にすることができる。
【００５４】
フレームキャップ部２４４は、第二突設部２４３の平板部２４３ｅから天板部２４２ａと反対側へ突出する。フレームキャップ部２４４は、光源ユニット２００の端部２００ａにおいて、フレーム２２０の柱部２２２と、フレーム２２０の端部２２１ｔとなる第二板部２２３の端部を覆うように配置される。フレームキャップ部２４４は、第二突設部２４３の平板部２４３ｅを介してカバーキャップ部２４１とは反対側に形成されている。フレームキャップ部２４４は、光源ユニット２００が照明器具１００に取り付けられた場合に、照明器具１００の内部空間に配置される。フレームキャップ部２４４には、キャップ側固定孔２４４ａが形成されている。キャップ側固定孔２４４ａは、フレーム固定孔２２３ｂと共に、ネジ固定具２６０が挿通され、ネジ固定具２６０によって、フレームキャップ部２４４とフレーム２２０とが締結されて固定される。エンドキャップ２４０をフレーム２２０に固定する場合に、ネジ固定具２６０の頭部は、エンドキャップ２４０から突出している。
【００５５】
第一支持部２４５は、カバーキャップ部２４１から突出する板状に形成された部分である。第一支持部２４５は、光源ユニット２００において、フレームキャップ部２４４から第一板部２２１の一面側を支持するように突出する。より詳細には、第一支持部２４５は、光源ユニット２００において、フレームキャップ部２４４から第一板部２２１の基板取付面２２１ａと反対側の面を支持するように突出している。第一支持部２４５は、柱部２２２を挟むように光源ユニット２００の短手方向（Ｙ軸方向）において対に設けられている。なお、エンドキャップ２４０は、光源ユニット２００の短手方向（Ｙ軸方向）において、フレームキャップ部２４４と第一支持部２４５との間に間隙が形成されている。
【００５６】
第二支持部２４６は、フレームキャップ部２４４から突出する板状に形成された部分である。第二支持部２４６は、光源ユニット２００において、フレームキャップ部２４４から第二板部２２３の一面側を支持するように突出する。より詳細には、第二支持部２４６は、フレーム２２０の第二板部２２３の外側の面を支持するように突出している。エンドキャップ２４０は、第一突設部２４２と第二支持部２４６とにより上下方向（Ｚ軸方向）への移動が抑制され、フレーム２２０と当接する第一支持部２４５によりフレーム２２０の短手方向（Ｙ軸方向）への移動を抑制することができる。
【００５７】
（バネ２５０）
図１２は、本発明の実施の形態１に係るバネ２５０の斜視図である。図９及び図１２を用いてバネ２５０について説明する。バネ２５０は、図９に示すように、光源ユニット２００の長手方向（Ｘ軸方向）における両方の端部２００ａのそれぞれに設けられており、器具本体１１０の凸部１１４と係合して光源ユニット２００を照明器具１００に固定するものである。バネ２５０は、フレーム２２０に引っ掛かるバネ引掛け部２５１と、器具本体１１０の凸部１１４と係合するバネ係合部２５２ｃを有するバネ本体部２５２と、を有する。また、バネ２５０は、フレーム２２０の長手方向（Ｘ軸方向）にエンドキャップ２４０と共に、例えば、ネジ等の固定具で固定されるバネ固定部２５３を有している。
【００５８】
バネ引掛け部２５１は、バネ本体部２５２の後述するバネ底面部２５２ｂから突出し、バネ底面部２５２ｂに対して斜めに形成されている。バネ引掛け部２５１は、引掛け爪部２５１ａと、引掛け板部２５１ｂと、バネ板部２５１ｄと、を有する。バネ引掛け部２５１は、バネ引掛け部２５１の突出方向において、バネ底面部２５２ｂから、バネ板部２５１ｄ、引掛け板部２５１ｂ、引掛け爪部２５１ａの順に形成されている。また、バネ引掛け部２５１は、フレーム用開口２５１ｃを形成している。バネ引掛け部２５１は、光源ユニット２００において、引掛け爪部２５１ａと引掛け板部２５１ｂとによって第二板部２２３を狭持している。
【００５９】
引掛け爪部２５１ａは、フレーム２２０の第二板部２２３に引っ掛かるように、バネ底面部２５２ｂに対して斜めに形成されている。引掛け爪部２５１ａは、バネ引掛け部２５１の先端に形成されており、互いに向かい合う２つの鉤形状に形成された爪部２５１ａ１で構成されている。各爪部２５１ａ１はＬ字状に形成されており、突出部分が向かい合うように配置されている。互いに向かい合う２つの爪部２５１ａ１の間には、光源ユニット２００において、フレーム２２０の柱部２２２が挿通される。
【００６０】
引掛け板部２５１ｂは、フレーム２２０の第二板部２２３に引っ掛かるように、光源ユニット２００において、第二板部２２３と当接する。引掛け板部２５１ｂは、略Ｙ字状に形成されており、分岐する先端部にバネ引掛け部２５１の爪部２５１ａ１が形成されている。引掛け板部２５１ｂは、分岐する側と反対側の端部が、バネ板部２５１ｄを介して、バネ本体部２５２のバネ底面部２５２ｂと接続している。引掛け板部２５１ｂは、バネ底面部２５２ｂの仮想の延長面に対して略平行に配置されている。なお、引掛け板部２５１ｂは、バネ底面部２５２ｂの仮想の延長面に対して略平行である構成に限定されるものではない。引掛け板部２５１ｂは、例えば、バネ底面部２５２ｂに対する引掛け爪部２５１ａの傾きよりも、バネ底面部２５２ｂに対する引掛け板部２５１ｂの傾きが小さくなるように形成されてもよい。
【００６１】
バネ板部２５１ｄは、引掛け板部２５１ｂと、バネ底面部２５２ｂとの間に設けられている矩形の板状の部材である。バネ板部２５１ｄは、バネ底面部２５２ｂに対して斜めに形成されている。バネ板部２５１ｄは、光源ユニット２００において、バネ底面部２５２ｂと第二板部２２３との間に空間を形成する役割を果たす。即ち、バネ２５０は、フレーム２２０に取り付けられた場合に、バネ底面部２５２ｂと第二板部２２３との間に間隔を形成する。
【００６２】
バネ引掛け部２５１は、引掛け爪部２５１ａの端部２５１ａ２と引掛け板部２５１ｂの端部２５１ｂ１とによって第二板部２２３が挿し込まれるフレーム用開口２５１ｃが形成されている。引掛け爪部２５１ａの端部２５１ａ２は、光源ユニット２００の長手方向（Ｘ軸方向）において、バネ本体部２５２側の端部であると共に、引掛け板部２５１ｂ側の端部である。引掛け板部２５１ｂの端部２５１ｂ１は、光源ユニット２００の長手方向（Ｘ軸方向）において、引掛け爪部２５１ａ側の端部である。また、フレーム用開口２５１ｃは、引掛け板部２５１ｂの一部を切り欠くように形成されている。換言すれば、フレーム用開口２５１ｃは、引掛け爪部２５１ａの一部の周縁部と引掛け板部２５１ｂの一部の周縁部とによって形成されている。
【００６３】
引掛け爪部２５１ａの端部２５１ａ２と引掛け板部２５１ｂの端部２５１ｂ１との距離は、引掛け爪部２５１ａと引掛け板部２５１ｂにより第二板部２２３を狭持できる大きさであればよい。バネ２５０の取付時に、引掛け爪部２５１ａをフレーム２２０端面と対向させるときは、端部２５１ａ２と端部２５１ｂ１との距離を、第二板部２２３の厚さより大きくすると、バネ２５０をフレーム２２０に取り付け易くなる。また、バネ２５０の取付時に、引掛け板部２５１ｂを第二板部２２３と対向させるときは、端部２５１ａ２と端部２５１ｂ１との距離を、第二板部２２３の厚さと略同等にさせると、バネ２５０をフレーム２２０に取り付け易くなる。
【００６４】
バネ本体部２５２は、光源ユニット２００において、第二板部２２３と上下方向（Ｚ軸方向）において対向するバネ底面部２５２ｂと、バネ底面部２５２ｂの短手方向（Ｙ軸方向）の両縁部から突出するように設けられたバネ爪部２５２ａを有している。バネ爪部２５２ａは、突出方向の先端に凸部１１４と係合するバネ係合部２５２ｃを有している。
【００６５】
バネ爪部２５２ａは、光源ユニット２００の長手方向（Ｘ軸方向）となるバネ本体部２５２の長手方向（Ｘ軸方向）に沿って複数個形成されている。複数のバネ爪部２５２ａは、互いに間を設けて形成されており、複数のバネ爪部２５２ａは、それぞれ別々に変形するように設けられている。なお、複数のバネ爪部２５２ａにおける複数とは、少なくとも２つ以上である。バネ２５０は、隣り合うバネ爪部２５２ａの間に開口部２５２ａ１が形成されている。バネ爪部２５２ａは、バネ本体部２５２の短手方向（Ｙ軸方向）に弾性変形自在に設けられている。バネ爪部２５２ａは、バネ底面部２５２ｂの両端部に形成され、光源ユニット２００が照明器具１００に取り付けられ又は取り外される光源ユニット２００の着脱の際に、光源ユニット２００の短手方向（Ｙ軸方向）に弾性変形する。バネ爪部２５２ａは、１つの山を形成する板バネである。なお、バネ爪部２５２ａの形状は、１つの山を形成する板バネに限定するものではなく、バネ本体部２５２の短手方向（Ｙ軸方向）に弾性変形自在に構成される形状であれば、例えば、複数の山から構成される板バネ等、他の形状であってもよい。バネ爪部２５２ａは、バネ底面部２５２ｂに対する上下方向（Ｚ軸方向）において、バネ引掛け部２５１が傾斜する側に凸となるように形成されている。即ち、バネ２５０は、バネ爪部２５２ａが、バネ底面部２５２ｂの一方の面側に凸となるようにＶ字状に形成されている。なお、バネ２５０は、光源ユニット２００が照明器具１００に取り付けられた場合に、照明器具１００の内部において、バネ爪部２５２ａがバネ底面部２５２ｂより底部１１１側に突出しないように形成されている。
【００６６】
バネ係合部２５２ｃは、バネ本体部２５２の短手方向（Ｙ軸方向）において、バネ爪部２５２ａの先端部に形成されている。バネ係合部２５２ｃは、バネ爪部２５２ａの先端部から、バネ底面部２５２ｂに対して、Ｖ字状のバネ爪部２５２ａが凸となる側に延びている。バネ係合部２５２ｃは、バネ爪部２５２ａの先端部の板と共にバネ爪部２５２ａとは逆の側に凸となるようにＶ字状に形成されている。バネ係合部２５２ｃは、バネ本体部２５２の短手方向（Ｙ軸方向）の先端部において、バネ爪部２５２ｃ１が湾曲している。そのため、バネ係合部２５２ｃは、光源ユニット２００が照明器具１００に取り付けられた場合に、側面部１１２と対向する部分が円弧状に形成されている。バネ係合部２５２ｃは、バネ本体部２５２の長手方向（Ｘ軸方向）の垂直断面において、鉤状、あるいは、略Ｌ字形状に形成されている。バネ係合部２５２ｃは、複数のバネ爪部２５２ａと一体に形成され、複数のバネ爪部２５２ａにわたってバネ本体部２５２の長手方向（Ｘ軸方向）に延びるように形成されている。バネ係合部２５２ｃは、バネ爪部２５２ａと共に板バネを構成する。バネ係合部２５２ｃ及びバネ爪部２５２ａは、バネ本体部２５２の長手方向（Ｘ軸方向）の垂直断面において、略Ｎ字形状に形成されている。
【００６７】
バネ底面部２５２ｂは、矩形の平板状に形成されている。光源ユニット２００の長手方向（Ｘ軸方向）と、バネ本体部２５２の長手方向（Ｘ軸方向）とは同一方向である。バネ底面部２５２ｂは、光源ユニット２００において、第二板部２２３と対向し、第二板部２２３と間を設けるように配置される。これは、バネ爪部２５２ａの上下方向（Ｚ軸方向）の長さを長くするためであり、このような構成にすることで、バネ爪部２５２ａを弾性変形し易くすることができ、光源ユニット２００の照明器具１００に対する着脱を容易にすることができる。なお、バネ２５０は、バネ本体部２５２のバネ底面部２５２ｂがフレーム２２０の第二板部２２３から離れるように形成されているが、バネ底面部２５２ｂとフレーム２２０の第二板部２２３との間に間隔を設けず、光源ユニット２００の高さを薄くしてもよい。このとき、凸部１１４に切り欠きを設け、バネ係合部２５２ｃは凸部１１４の切り欠きに嵌るようにしてもよい。
【００６８】
バネ固定部２５３は、バネ本体部２５２の長手方向（Ｘ軸方向）において、バネ引掛け部２５１が突出している方向の反対側のバネ底面部２５２ｂから突出し、バネ底面部２５２ｂに対して斜めに形成されている。バネ固定部２５３は、バネ固定端部２５３ａと、バネ当接部２５３ｂと、バネ端板部２５３ｃとを有する。バネ固定部２５３は、バネ固定部２５３の突出方向において、バネ底面部２５２ｂから、バネ端板部２５３ｃ、バネ当接部２５３ｂ、バネ固定端部２５３ａの順に形成されている。
【００６９】
バネ固定端部２５３ａは、バネ固定部２５３の突出方向の先端部に設けられており、バネ固定端部２５３ａの先端部は、バネ底面部２５２ｂの仮想の延長面に対して離れる方向に向かうように形成されている。バネ当接部２５３ｂは、平板状に形成されており、光源ユニット２００において、第二板部２２３と当接する。バネ端板部２５３ｃは、バネ当接部２５３ｂと、バネ底面部２５２ｂとの間に設けられている矩形の板状の部材である。バネ端板部２５３ｃは、バネ底面部２５２ｂに対して斜めに形成されている。バネ端板部２５３ｃは、光源ユニット２００において、バネ底面部２５２ｂと第二板部２２３との間に空間を形成する役割を果たす。
【００７０】
バネ固定部２５３は、バネ当接部２５３ｂがフレーム２２０の長手方向（Ｘ軸方向）の端面と当接して、ネジ固定具２６０が、エンドキャップ２４０を介してフレーム固定孔２２３ｂに固定されることで、エンドキャップ２４０と共にフレーム２２０に固定される。バネ固定部２５３は、光源ユニット２００の端部２００ａにおいて、フレーム２２０の端部２２１ｔとエンドキャップ２４０とに挟まれて固定されている。
【００７１】
（拡張ユニット３００）
図１３は、本発明の実施の形態１に係る照明装置１の組立斜視図であり、図１４は、本発明の実施の形態１に係る照明装置１の分解斜視図である。図１３及び図１４に示すように、照明装置１は、照明器具１００の器具本体１１０と、光源ユニット２００とに挟まれた空間に収納されている拡張ユニット３００とを備えている。拡張ユニット３００は、照明器具１００の長手方向に延びる部材であり、外部接続機器（図示せず）から延びるコネクタ３１０（図２３参照）が挿入されるプラグ６００を有している。ここで、プラグ６００は、例えばＵＳＢプラグであり、コネクタ３１０は、例えばＵＳＢコネクタである。前述の如く、照明器具１００のプラグ穴１５１ｂは、プラグ６００を外部に露出させる。なお、拡張ユニット３００は、照明器具１００の内部に収納されており、プラグ穴１５１ｂは、器具本体１１０の側面部１１２に形成されてもよい。
【００７２】
図１５は、本発明の実施の形態１に係る拡張ユニット３００の組立斜視図であり、図１６は、本発明の実施の形態１に係る拡張ユニット３００の分解斜視図である。図１７は、本発明の実施の形態１に係る拡張ユニット３００の背面斜視図である。図１５〜図１７に示すように、拡張ユニット３００は、ケース４００と、拡張基板５００とを有している。
【００７３】
（ケース４００）
ケース４００は、照明器具１００と光源ユニット２００との間に収納され、プラグ６００を外部に露出させるケース開口４０１が形成されている。ケース４００は、拡張基板５００の上部を覆う上側ケース４１０と、拡張基板５００の下部を覆う下側ケース４２０とを有している。
【００７４】
（上側ケース４１０）
上側ケース４１０は、底面が開口した直方体状の箱体であり、上面に複数のネジ穴４１１が形成されている。ネジ穴４１１は、照明器具１００に形成された穴に対応する位置に形成されており、ネジ穴４１１にネジが螺合することによって被取付部１０に照明器具１００及び拡張ユニット３００が取り付けられる。上側ケース４１０には、ケース開口４０１の上部である上部開口４１２が形成されている。上側ケース４１０は、上部開口４１２の縁部からプラグ６００とは反対方向に突出し、プラグ穴１５１ｂの縁部に係合する突出部４１３を有している。照明器具１００に拡張ユニット３００が取り付けられる際、突出部４１３がプラグ穴１５１ｂの縁部に係合することによって、照明器具１００の端板と上側ケース４１０の突出部４１３との間に段差がなくなる（図１３及び図１４参照）。これにより、意匠性が良好となり、また、照明器具１００と拡張ユニット３００との固定性が向上する。なお、上側ケース４１０の内壁には、下側ケース４２０の爪部４２４に係止する係止部（図示せず）が設けられている。
【００７５】
（下側ケース４２０）
下側ケース４２０は、上面が開口した直方体状の箱体であり、プラグ６００側の側面が下方に延びている。下側ケース４２０における下方に延びた部分が、光源ユニット２００に挿入されて、拡張ユニット３００が光源ユニット２００に保持される。下側ケース４２０には、ケース開口４０１の下部である下部開口４２２が形成されている。下側ケース４２０は、上側ケース４１０の係止部に係止する爪部４２４を有しており、爪部４２４と係止部とが係止することにより、下側ケース４２０が上側ケース４１０に取り付けられる。
【００７６】
（拡張基板５００）
図１８は、本発明の実施の形態１に係る拡張ユニット３００の正面斜視図である。図１６及び図１８に示すように、拡張基板５００は、ケース４００の内部に収容され、プラグ６００が実装された板状の部材である。拡張基板５００は、照明器具１００の長手方向に延びており、一端部にプラグ６００が実装されている。拡張基板５００には、プラグ６００のほかに拡張コネクタ５０１及び電気部品５０３等が実装されている。
【００７７】
図１９は、本発明の実施の形態１に係る拡張ユニット３００の下側斜視図であり、図２０は、本発明の実施の形態１に係る拡張ユニット３００の上面図である。図１９及び図２０に示すように、拡張基板５００の拡張コネクタ５０１にはハーネス５０２が差し込まれ、ハーネス５０２は、電源装置１２０等に接続される。これにより、拡張ユニット３００に電源が供給される。
【００７８】
図２１は、本発明の実施の形態１に係る拡張ユニット３００の正面図である。図２１に示すように、プラグ６００は、長手方向に延びるコネクタ３１０が挿入されるものであり、拡張ユニット３００の幅方向に対し平行に延びている。照明器具１００の被取付部１０側の端部とプラグ６００との間の距離は１０ｍｍ以上である。照明器具１００の被取付部１０側の端部は、天井等の被取付部１０とほぼ同じ高さである。このように、プラグ６００が天井等の被取付部１０から１０ｍｍ以上離れていることにより、ユーザが外部接続機器から延びるコネクタ３１０をプラグ６００に着脱しようとする際、被取付部１０に邪魔されず、着脱し易い。
【００７９】
図２２は、本発明の実施の形態１に係る拡張ユニット３００の側面断面図である。図２２に示すように、上側ケース４１０は、ケース開口４０１の縁部からプラグ６００側に延びる上部延長部４１５を有している。上部延長部４１５は、コネクタ３１０がプラグ６００に挿入される際に、コネクタ３１０の上部をガイドする。また、下側ケース４２０は、ケース開口４０１の縁部からプラグ６００側に延びる下部延長部４２５を有している。下部延長部４２５は、コネクタ３１０がプラグ６００に挿入される際に、コネクタ３１０の下部をガイドする。なお、下部延長部４２５は、更に、コネクタ３１０がプラグ６００に挿入された後、コネクタ３１０の下部を支持する。
【００８０】
このように、ケース４００は、ケース開口４０１の縁部からプラグ６００側に延び、コネクタ３１０がプラグ６００に挿入される際にコネクタ３１０をガイドする延長部４０２を有している。なお、照明器具１００に形成されたプラグ穴１５１ｂも、延長部４０２と同様に、コネクタ３１０がプラグ６００に挿入される際にコネクタ３１０をガイドし、コネクタ３１０がプラグ６００に挿入された後、コネクタ３１０の下部を支持する。このように、下部延長部４２５及びプラグ穴１５１ｂがコネクタ３１０の下部を支持しているため、コネクタ３１０に過度の外力が加わっても、プラグ６００に必要以上の応力がかからない。
【００８１】
図２１及び図２２に示すように、プラグ６００は、コネクタ３１０が接触して導通する電極である接触子６０１を有している。そして、接触子６０１の先端は、被取付部１０側とは反対の照射対象空間側の方向を向いている。
【００８２】
図２３は、本発明の実施の形態１に係る拡張ユニット３００の側面断面図である。図２３に示すように、コネクタ３１０がプラグ６００に挿入されると、コネクタ３１０の上端が接触子６０１に触れる。これにより、外部接続機器と拡張ユニット３００とが導通する。本実施の形態１では、接触子６０１が被取付部１０側とは反対の照射対象空間側の方向を向いているため、接触子６０１上に塵埃が溜まらない。これにより、接触子６０１の接触不良が抑制され、接触子６０１の腐食が抑制され、絶縁性能の低下が抑制され、発煙及び発火が抑制される。
【００８３】
本実施の形態１によれば、照明器具１００に形成されたプラグ穴１５１ｂがプラグ６００を外部に露出させる。このため、照明装置１は、外部接続機器から延びるコネクタ３１０を、常時プラグ６００に接続可能である。従って、照明装置１が被取付部１０に取り付けられた後においても、外部接続機器と拡張ユニット３００とを接続することができる。これにより、照明装置１は、外部接続機器との間で通信することができ、外部接続機器を制御することもできる。また、拡張ユニット３００と電源装置１２０とが接続されているため、照明装置１は、拡張ユニット３００を介して外部接続機器に給電することができる。このように、本実施の形態１は、照明装置１の機能を拡張することができる。
【００８４】
（第１変形例）
図２４は、本発明の実施の形態１の第１変形例に係る拡張ユニット３００ａの正面図であり、図２５は、本発明の実施の形態１の第１変形例に係る拡張ユニット３００ａの側面断面図である。図２４及び図２５に示すように、第１変形例は、照明装置１ａの拡張ユニット３００ａのプラグ６００が、プラグ穴１５１ｂまで延びている点で、実施の形態１と相違する。なお、第１変形例は、ケース４００が延長部４０２を有していない。このように、プラグ６００がプラグ穴１５１ｂまで延びていることによって、プラグ穴１５１ｂは、コネクタ３１０がプラグ６００に挿入される際に、コネクタ３１０をガイドする。従って、ユーザは、コネクタ３１０をプラグ６００に挿入し易い。また、プラグ６００の先端がプラグ穴１５１ｂの縁部に当たることによって、プラグ穴１５１ｂはプラグ６００を支持している。このため、プラグ６００に過度の外力が加わっても、プラグ６００と拡張基板５００とが接続される半田部（図示せず）に応力がかかることを抑制することができる。
【００８５】
（第２変形例）
図２６は、本発明の実施の形態１の第２変形例に係る拡張ユニット３００ｂの正面図である。図２６に示すように、第２変形例は、照明装置１ｂの拡張ユニット３００ｂのプラグ６００が拡張ユニット３００ｂの幅方向に対し垂直の方向に延びている点で、実施の形態１と相違する。このように、プラグ６００の配置が異なっていても、実施の形態１と同様の効果を奏する。
【００８６】
（第３変形例）
図２７は、本発明の実施の形態１の第３変形例に係る拡張ユニット３００ｃの側面断面図である。図２７に示すように、第３変形例は、照明装置１ｃの拡張ユニット３００ｃのプラグ６００が水平方向から照射対象空間側に傾斜している点で、実施の形態１と相違する。また、ケース４００の延長部４０２が、プラグ６００に沿って傾斜している。ここで、照明装置１は、例えば天井等の被取付部１０に取り付けられるため、ユーザがコネクタ３１０をプラグ６００に挿入する際、コネクタ３１０を上方傾斜させる場合がある。第３変形例は、プラグ６００が水平方向から照射対象空間側に傾斜しているため、ユーザは、上方傾斜したコネクタ３１０をプラグ６００に挿し込み易い。なお、ユーザがプラグ６００を引き抜く場合も、同様に、上方傾斜したコネクタ３１０をプラグ６００から引き抜き易い。
【００８７】
（第４変形例）
図２８は、本発明の実施の形態１の第４変形例に係る拡張ユニット３００ｄの側面断面図である。図２８に示すように、第４変形例は、照明装置１ｄの拡張ユニット３００ｄのプラグ６００が水平方向から天井等の被取付部１０側に傾斜している点で、実施の形態１と相違する。また、ケース４００の延長部４０２が、プラグ６００に沿って傾斜している。これにより、プラグ６００に挿し込まれたコネクタ３１０が、自重により抜けることを抑制することができる。
【００８８】
第３変形例及び第４変形例のように、プラグ６００が水平方向から傾斜して設けられている場合、上記のとおりの効果を奏する。
【００８９】
実施の形態２．
図２９は、本発明の実施の形態２に係る拡張ユニット３００ｅの正面図であり、図３０は、本発明の実施の形態２に係る拡張ユニット３００の側面断面図である。本実施の形態２は、照明装置１ｅの拡張ユニット３００ｅにおいて、プラグ６００の接触子６０１の先端の向きが、実施の形態１と相違する。本実施の形態２では、実施の形態１と同一の部分は同一の符号を付して説明を省略し、実施の形態１との相違点を中心に説明する。
【００９０】
図２９及び図３０に示すように、接触子６０１の先端は、被取付部１０側の方向を向いている。なお、照明器具１００の上端とプラグ６００との間の距離は、実施の形態１と同様に１０ｍｍ以上である。照明器具１００の上端は、天井等の被取付部１０とほぼ同じ高さである。このように、プラグ６００が天井等の被取付部１０から１０ｍｍ以上離れていることにより、ユーザが外部接続機器から延びるコネクタ３１０をプラグ６００に着脱しようとする際、被取付部１０に邪魔されず、着脱し易い。
【００９１】
図３１は、本発明の実施の形態２に係る拡張ユニット３００ｅの側面断面図である。図３１に示すように、コネクタ３１０がプラグ６００に挿入されると、コネクタ３１０の上端が接触子６０１に触れる。これにより、外部接続機器と拡張ユニット３００とが導通する。本実施の形態２では、接触子６０１が被取付部１０側の方向を向いているため、コネクタ３１０が自重により接触子６０１を押圧する。これにより、コネクタ３１０と接触子６０１との接触力が向上する。従って、導電性の信頼性が向上し、接触子６０１の経年劣化により低下する接触力を補うことができる。なお、実施の形態２において、実施の形態１の第１変形例、第２変形例、第３変形例又は第４変形例が適用されてもよい。
【符号の説明】
【００９２】
１，１ａ，１ｂ，１ｃ，１ｄ，１ｅ  照明装置、１０  被取付部、１００  照明器具、１１０  器具本体、１１０ａ  端部、１１０ｂ  端部開口部、１１１  底部、１１１ａ  電源穴、１１１ｂ  取付穴、１１２  側面部、１１３  本体開口部、１１４  凸部、１１４ａ  端板固定部、１１４ｂ  第一切欠部、１１４ｃ  第二切欠部、１１４ｄ  縁部、１１４ｆ  先端部、１２０  電源装置、１２０ａ  電源ケース、１３０  電源端子台、１３１  端子台電線、１５０  端板部、１５１  端板本体部、１５１ａ  端板蓋部、１５１ｂ  プラグ穴、１５１ｃ  溝部、１５２  端板爪部、１５２ａ  爪挿込部、１５２ｂ  爪凹部、１５２ｃ  爪嵌合部、１５２ｃａ  突出部、１５２ｐ  上縁部、１５２ｔ１  端縁部、１５２ｔ２  端縁部、１５３  端板接続部、２００  光源ユニット、２００ａ  端部、２１０  発光モジュール、２１１  発光素子、２１２  基板、２１２ｔ  端部、２１３  光源側電線、２２０  フレーム、２２１  第一板部、２２１ａ  基板取付面、２２１ｂ  カバー保持部、２２１ｃ  第二カバー保持部、２２１ｔ  端部、２２２  柱部、２２３  第二板部、２２３ｂ  フレーム固定孔、２３０  カバー、２３０ａ  内側面部、２３０ｃ  開口部、２３０ｔ  端部、２３１  主カバー部、２３２  カバー側面部、２３３  カバー爪部、２４０  エンドキャップ、２４１  カバーキャップ部、２４２  第一突設部、２４２ａ  天板部、２４２ｂ  側板部、２４３  第二突設部、２４３ａ  防止部、２４３ａ１  第一突出部、２４３ａ２  第二突出部、２４３ｂ  電線切り欠き部、２４３ｃ  キャップ側カバー保持部、２４３ｃ１  底板部、２４３ｃ２  鉤状部、２４３ｄ  電線ガイド部、２４３ｅ  平板部、２４４  フレームキャップ部、２４４ａ  キャップ側固定孔、２４５  第一支持部、２４６  第二支持部、２５０  バネ、２５１  バネ引掛け部、２５１ａ  引掛け爪部、２５１ａ１  爪部、２５１ａ２  端部、２５１ｂ  引掛け板部、２５１ｂ１  端部、２５１ｃ  フレーム用開口、２５１ｄ  バネ板部、２５２  バネ本体部、２５２ａ  バネ爪部、２５２ａ１  開口部、２５２ｂ  バネ底面部、２５２ｃ  バネ係合部、２５２ｃ１  バネ爪部、２５３  バネ固定部、２５３ａ  バネ固定端部、２５３ｂ  バネ当接部、２５３ｃ  バネ端板部、２６０  ネジ固定具、３００，３００ａ，３００ｂ，３００ｃ，３００ｄ，３００ｅ  拡張ユニット、３１０  コネクタ、４００  ケース、４０１  ケース開口、４０２  延長部、４１０  上側ケース、４１１  ネジ穴、４１２  上部開口、４１３  突出部、４１５  上部延長部、４２０  下側ケース、４２２  下部開口、４２４  爪部、４２５  下部延長部、５００  拡張基板、５０１  拡張コネクタ、５０２  ハーネス、５０３  電気部品、６００  プラグ、６０１  接触子、１１１４  第一係合部、１１５２  第二係合部、１１５２ａ  第一突出壁部、１１５２ｂ  第二突出壁部。
【図１】
2020140925.tif 000003
【図２】
2020140925.tif 000004
【図３】
2020140925.tif 000005
【図４】
2020140925.tif 000006
【図５】
2020140925.tif 000007
【図６】
2020140925.tif 000008
【図７】
2020140925.tif 000009
【図８】
2020140925.tif 000010
【図９】
2020140925.tif 000011
【図１０】
2020140925.tif 000012
【図１１】
2020140925.tif 000013
【図１２】
2020140925.tif 000014
【図１３】
2020140925.tif 000015
【図１４】
2020140925.tif 000016
【図１５】
2020140925.tif 000017
【図１６】
2020140925.tif 000018
【図１７】
2020140925.tif 000019
【図１８】
2020140925.tif 000020
【図１９】
2020140925.tif 000021
【図２０】
2020140925.tif 000022
【図２１】
2020140925.tif 000023
【図２２】
2020140925.tif 000024
【図２３】
2020140925.tif 000025
【図２４】
2020140925.tif 000026
【図２５】
2020140925.tif 000027
【図２６】
2020140925.tif 000028
【図２７】
2020140925.tif 000029
【図２８】
2020140925.tif 000030
【図２９】
2020140925.tif 000031
【図３０】
2020140925.tif 000032
【図３１】
2020140925.tif 000033